(57)【要約】    【課題】補強部材を設けることなく筒状本体の強度を高めることができ、さらに、被包装物を容易に包装することのできる包装体の提供。    【解決手段】被包装物２の両端を保持する一対のパッド３ａ、３ｂと、被包装物２及びパッド３ａ、３ｂを収容する筒状本体４とを備える。筒状本体４の開口縁に折り返し部５を形成して筒状本体５を補強する。パッド３ａ、３ｂの周面に凹部７を形成して筒状本体４の折り返し部５に係止し、被包装物２及びパッド３ａ、３ｂの抜け出しを規制する。筒状本体４は、被包装物２を包むようにブランク８を折り曲げ、両端部の切り込み舌片９ａ、９ｂを互いに係合させて形成する。【選択図】図１
2009035311.tif 000002
【特許請求の範囲】
【請求項１】
被包装物の両端を嵌め込んで保持する一対のパッドと、該パッドに保持された被包装物を収容する筒状本体とを備え、前記筒状本体は、ブランクを筒状に折り曲げて形成され、前記ブランクの両端部に、互いに係合するための切り込み角度を有する一対の切り込み舌片が形成されたことを特徴とする包装体。
【請求項２】
前記筒状本体に、開口縁の少なくとも一部を折り返してなる折り返し部が形成されたことを特徴とする請求項１に記載の包装体。
【請求項３】
前記折り返し部は、筒状本体の開口縁の少なくとも一部を内向きに折り返してなり、前記パッドの周面に、筒状本体の折り返し部に係止される凹部が形成されたことを特徴とする請求項２に記載の包装体。
【請求項４】
請求項１〜３のいずれかに記載の包装体で包装されたことを特徴とする空気調和機。
【発明の詳細な説明】
【技術分野】
【０００１】
本発明は、空気調和機の室内機などの被包装物を包装するための包装体に関するものである。
【背景技術】
【０００２】
一般に、空気調和機の室内機などの被包装物を包装するための包装体は、被包装物の両端を嵌め込んで保持する一対のパッドと、このパッドで保持した被包装物を収容する筒状本体とを備えた構成とされる（例えば特許文献１）。
【０００３】
図７及び図８に従来の包装体の一例を示す。図７は被包装物を包装する前の状態を示し、図８は被包装物を包装した後の状態を示す。
【０００４】
この包装体の筒状本体１０１は、段ボールシートを筒状に折り曲げて両端部を金属ステップル１０２で止着した構造とされ、被包装物１０３を一対のパッド１０４で挟み込むように保持しつつ、被包装物１０３及び両側のパッド１０４を予め筒状に構成された筒状本体１０１に挿入するようになっている。さらに、筒状本体１０１の中心軸方向にバンド１０５を巻き付けて、筒状本体１０１、被包装物１０３及びパッド１０４を結束し、被包装物１０３からのパッド１０４の外れや、筒状本体１０１からの被包装物１０３及びパッド１０４の抜け出しを阻止している。
【０００５】
筒状本体１０１を構成する段ボールシートは、十分な強度が得られるよう、二層の波形状の中しんの両層間及び両側に平面状のライナを設けた構造の複両面段ボールシート（ダブルシート）を採用することが多かったが、近年、省資源化を目的として、一層の中しんの両側にライナを設けただけの両面段ボールシート（シングルシート）の採用に移行しつつある。
【０００６】
ただ、輸送あるいは倉庫で保管する際、例えば積付け方法によっては、被包装物１０３を包装した包装体同士の位置ずれが生じるなどして、筒状本体１０１を構成する段ボールシートに様々なストレスが加わることがある。この場合、複両面段ボールシートよりも薄い両面段ボールシートを採用することにより、図９に示すような筒状本体１０１の「腰折れ」１０６や「胴膨れ」１０７が短期間で発生しやすく、しかも、長期保管する場合には、筒状本体１０１の耐圧縮強度の低下をも生じさせやすい。
【０００７】
このような筒状本体１０１の「腰折れ」１０６や「胴膨れ」１０７、あるいは耐圧縮強度の低下に対して、図７に示すように、補強段ボールシート１０８や厚紙などの補強部材を追加して補強するようにしている。
【特許文献１】実開昭６４−３５８７４号公報
【発明の開示】
【発明が解決しようとする課題】
【０００８】
ところが、上記のように、省資源化を目的として、薄い両面段ボールシートで筒状本体を採用したとしても、補強段ボールシートや厚紙などの補強部材の追加が必要な分、包装の省資源化が不十分になると共に、材料コストが高くなりやすく、しかも、組み込む部材数が増加する分、労務コストが高くなりやすい。
【０００９】
また、予め筒状に構成された筒状本体に被包装物及びパッド挿入し、さらに、筒状本体からの被包装物やパッドの抜け出しを阻止するよう、筒状本体の中心軸方向にバンドを巻き付けて結束するので、被包装物の包装に手間が掛かりやすい。
【００１０】
本発明は、被包装物を容易に包装することができ、さらに、補強部材を設けることなく筒状本体の強度を高めることのできる包装体の提供を目的とする。
【課題を解決するための手段】
【００１１】
上記目的を達成するため、本発明に係る包装体は、被包装物の両端を嵌め込んで保持する一対のパッドと、このパッドに保持された被包装物を収容する筒状本体とを備えたものであり、ブランクを筒状に折り曲げて筒状本体を形成し、そのブランクの両端部に、互いに係合するための切り込み角度を有する一対の切り込み舌片を形成したものである。
【００１２】
上記構成によれば、切り込み舌片を互いに係合させるので、ブランクの両端部を容易に止着することができ、被包装物を包むようにブランクを筒状に折り曲げて筒状本体を形成することができる。これにより、予め形成した筒状本体の端部開口に被包装物やパッドを挿入する必要がなく、被包装物の包装を容易にすることができる。しかも、金属ステップルなどの止着部材を不要にして省資源化を図ることができると共に、金属ステップルなどが筒状本体を廃棄する際の邪魔になることもない。
【００１３】
筒状本体に、開口縁の少なくとも一部を折り返してなる折り返し部を形成すれば、別の補強部材を設けることなく、筒状本体を補強することができる。しかも、開口縁は筒状本体のうちの最も弱い部位であり、この開口縁に折り返し部を形成することにより、筒状本体を効果的に補強することができる。なお、折り返し部は、筒状本体の開口の全周に形成することもできるが、筒状本体の開口縁のうち、例えば積み上げたときに強い力が作用する部位のみに折り返し部を形成してもよい。
【００１４】
また、筒状本体の開口縁の少なくとも一部を内向きに折り返して折り返し部を形成することにより、折り返し部が筒状本体の内側に突出するので、パッドの周面に凹部を形成して折り返し部に係止することができる。これにより、筒状本体の中心軸方向にバンドなどを巻き付けて結束することなく、被包装物からのパッドの外れや、筒状本体からの被包装物及びパッドの抜け出しを規制することができる。なお、被包装物を包むように筒状本体を形成することにより、内側に突出する折り返し部にパッドの凹部を係止することができる。
【００１５】
切り込み舌片を筒状本体の下面側に配置すれば、収容した被包装物の自重で切り込み舌片を押さえて、切り込み舌片同士の係合が外れるのを阻止することができ、しかも、筒状本体の上面に切り込み舌片がない分、その広い範囲に文字や模様などを印刷することができる。なお、被包装物の自重によって切り込み舌片を押し込むので、筒状本体の下面を面一にすることができる。
【００１６】
筒状本体を周方向に取り巻くバンドによって止めれば、筒状本体が周方向に開いて元のブランクに戻ろうとするのを阻止することができ、しかも、筒状本体の中心軸方向にバンドを巻き付ける方式よりも、筒状本体が周方向に開くのを確実に阻止することができる。特に、筒状本体の折り返し部にパッドの凹部を係止して被包装物の抜け出しを規制する構成を採用する場合、筒状本体の中心軸方向にバンドを巻き付けて、筒状本体、パッド及び被包装物を結束する必要がなく、筒状本体を周方向に取り巻くバンドを採用するのが好適である。
【００１７】
上記の包装体で包装する被包装物は、特に限定されるものではないが、被包装物として空気調和機を例示できる。また、本発明は、上記の包装体で包装した空気調和機を提供する。
【発明の効果】
【００１８】
以上の説明から明らかな通り、本発明によると、切り込み舌片を互いに係合させてブランクの両端部を止着するようにしている。これにより、被包装物を包むようにブランクを折り曲げて筒状本体を形成して、被包装物を容易に包装することができる。しかも、金属ステップルなどの止着部材を不要にして省資源化を図ることができると共に、金属ステップルなどが筒状本体を廃棄する際の邪魔になることもない。
【００１９】
また、筒状本体の開口縁に折り返し部を形成するので、補強段ボールシートなどの補強部材を別に設けることなく、筒状本体の強度を高めることができる。これにより、筒状本体の「腰折れ」や「胴膨れ」、耐圧縮強度の低下を生じさせることなく、例えば、複両面段ボールシートよりも薄い構造の両面段ボールシートを採用して、材料コストを安くすると共に、省資源化を図ることができる。しかも、補強部材の追加が不要な分、包装体に組み込む部材数が少なく、包装に要する労務コストを安くすることができる。
【００２０】
また、筒状本体の折り返し部にパッドの凹部を係止することにより、被包装物からのパッドの外れや、筒状本体からの被包装物及びパッドの抜け出しを規制することができ、
【発明を実施するための最良の形態】
【００２１】
以下、本発明に係る包装体を実施するための最良の形態について、図面を用いて説明する。図１は包装体の斜視図であり、（ａ）は下面を上に向けた状態を示し、（ｂ）は上面を上に向けた状態を示す。図２はＡ−Ａ断面を示し、図３はＢ−Ｂ断面を示す。
【００２２】
包装体１は、空気調和機の室内機などの被包装物２を包装するためのものであり、被包装物２の両端部を保持する一対のパッド３ａ、３ｂと、パッド３ａ、３ｂに保持された被包装物２を収容する四角筒状の筒状本体４とを備え、その筒状本体４の端部開口のうち、下面側を除く３辺に、その開口縁を内向きに折り返してなる折り返し部５が形成されている。
【００２３】
パッド３ａ、３ｂは、例えば発泡スチロールからなる直方体とされ、その内端面に、被包装物２の端部を嵌め込む嵌合部６が凹設されている。このパッド３ａ、３ｂは、被包装物２を保持した状態で筒状本体４の内側に隙間なく嵌るよう、筒状本体４の中央穴と同じ大きさの断面形状とされ、その周面に形成された凹部７が筒状本体４の折り返し部５に嵌合して係止されることにより、筒状本体４からの抜け出しが規制される。
【００２４】
パッド３ａ、３ｂの外端面には、手の指を入れることのできる大きさのくぼみが形成され、このくぼみが、被包装物２を包装した包装体１を両側から持つための取っ手１６とされる。取っ手１６は、パッド３ａ、３ｂの中心よりも上側にずれた位置に形成され、この取っ手１６の位置により、包装体１の天地の反転の有無を判別できるようになっている。これにより、例えば包装体１を数段に積み上げたとき、取っ手１６の位置を見て包装体１の天地を確認することができる。なお、取っ手１６を台形状に形成して、包装体１の天地をより判別しやすくすることもできる。
【００２５】
筒状本体４は、被包装物２を保持するパッド３ａ、３ｂの外端面間の長さと同じ長さに設定され、両面段ボールシート（シングルシート）からなるブランク８を四角筒状に折り曲げて形成されている。なお、両面段ボールシートは、波形状の中しんの両側に平面状のライナを設けただけの構造であり、従来の筒状本体に採用されていた複両面段ボールシート（ダブルシート）よりも薄い段ボールシートである。
【００２６】
筒状本体４の周方向でブランク８の両端部には、一対の切り込み舌片９ａ、９ｂが形成され、四角筒状に折り曲げられたブランク８の切り込み舌片９ａ、９ｂが互いに係合することにより、ブランク８の両端部が止着されて筒状本体４に構成される。
【００２７】
切り込み舌片９ａ、９ｂは、ブランク８の両端部のうち、筒状本体４の中心軸方向における中央部に形成され、互いに係合するよう、それぞれに二箇所の切り込み１０が筒状本体４の周方向に対して切り込み角度（θ）だけ傾斜して形成されている。
【００２８】
この切り込み舌片９ａ、９ｂは、切り込み１０を互いに噛み合わせることにより、筒状本体４の中心軸方向において、切り込み舌片９ａ、９ｂよりも外端側でブランク８の両端を突き合わせつつ、切り込み１０よりも両外端側で切り込み舌片９ａが切り込み舌片９ｂの外面側に重なり、二箇所の切り込み１０の間で切り込み舌片９ｂが切り込み舌片９ａの外面側に重なるようにして係合する。
【００２９】
また、切り込み舌片９ａは、二箇所の切り込み１０の間よりも両外端側が突出するよう形成され、切り込み舌片９ｂは、二箇所の切り込み１０の間が両外端側よりも突出するよう形成されている。これにより、切り込み舌片９ａ、９ｂのうち、外面側に重なる部位が他方を完全に覆い隠している。
【００３０】
切り込み舌片９ａ、９ｂは、筒状本体４の下面側に配置されることにより、筒状本体４の上面側に十分な印刷範囲を確保し、しかも、被包装物２の自重で押さえられて係合を保つと共に、内側に向けて押し込まれて筒状本体４の下面を面一にする。さらに、筒状本体４は、ポリプロピレン（ＰＰ）製のバンド１１で周方向に取り巻いて止められ、元のブランク８に戻るよう開くのが阻止されている。
【００３１】
折り返し部５は、ブランク８のうち、筒状本体４の上面及び両側面を構成する部位からそれぞれ突出する折り返し舌片１２を内向きに折り返しかつ接着して形成される。この折り返し部５は、筒状本体４の内面側に突出し、パッド３ａ、３ｂの凹部７を係止して被包装物２やパッド３ａ、３ｂの抜け出しを阻止すると共に、包装体１で被包装物２を包装して積み付けたときの位置ずれなどによる筒状本体４の「腰折れ」や「胴膨れ」、長期保管による圧縮強度の低下を防止するよう補強する。
【００３２】
次に、包装体を用いて被包装物を包装する手順を説明する。図４はブランクの展開図であり、図５は被包装物を包装する前の包装体の斜視図、図６はブランクの両端部を止着する前の包装体の斜視図である。
【００３３】
まず、図４及び図５に示すように、ブランク８のうち、筒状本体４の上面及び側面を構成する部位から突出する折り返し舌片１２を、折罫線１３に沿って上向き、すなわち筒状本体４の内向きに折り返し、この折り返し舌片１２を接着剤１４でブランク８の本体側に接着して折り返し部５を形成する。次いで、被包装物２の両端部をパッド３ａ、３ｂの嵌合部６に嵌め込むことにより、被包装物２の両端部をパッド３ａ、３ｂで保持し、これらをブランク８の上に載置する。
【００３４】
さらに、図６に示すように、折り返し部５をパッド３ａ、３ｂの周面の凹部７に嵌合させつつ、被包装物２及びパッド３ａ、３ｂを包むように、ブランク８をその折罫線１５に沿って四角筒状に折り曲げる。ここで、ブランク８は、筒状本体４の上面、両側面及び下面を構成する部位に折罫線１５によって仕切られ、この折罫線１５に沿って上向き、すなわち筒状本体４の内向きに直角に折り曲げることにより、四角筒状を構成するようになっている。
【００３５】
その後、図１（ａ）に示すように、切り込み１０を噛み合わせるようにして切り込み舌片９ａ、９ｂを互いに係合させることにより、ブランク８の両端部を止着して筒状本体４に構成する。図１（ｂ）に示すように、切り込み舌片９ａ、９ｂが下面側に位置するように筒状本体４の天地を反転し、バンド１１で周方向に取り巻いて止める。このとき、パッド３ａ、３ｂの取っ手１６が上側に位置して包装体１の天地が正しいことが確認され、包装体１での被包装物２の包装が完了する。
【００３６】
上記構成によれば、筒状本体４の端部開口に折り返し部５を形成して補強するので、筒状本体４の「腰折れ」や「胴膨れ」、長期保管による耐圧縮強度の低下を防止することができる。これにより、両面段ボールシート（シングルシート）などの薄い素材で筒状本体４を構成することができ、しかも、別の補強部材が不要な分、包装体１の部材数を少なくして包装を容易にすることができる。
【００３７】
また、切り込み舌片９ａ、９ｂを互いに係合させてブランク８の両端部を止着するので、金属ステップルなどを不要にすることができる。しかも、被包装物２及びパッド３ａ、３ｂを包むようにブランク８を折り曲げて筒状本体４を構成するので、筒状本体４の開口への被包装物２及びパッド３ａ、３ｂの挿入を不要にすることができる。さらに、折り返し部５をパッド３ａ、３ｂの凹部７に嵌合させて被包装物２の抜け出しを規制するので、筒状本体４を止めるバンド１１を周方向に巻き付けることができ、簡易に封緘又は開放することができる。
【００３８】
なお、本発明は、上記の実施の形態に限定されるものではなく、本発明の範囲内において、適宜変更を加えることができる。例えば、被包装物２は、空気調和機の室内機に限らず、両端部をパッド３ａ、３ｂで保持可能な物であれば、あらゆる物を包装することができる。また、筒状本体４は、四角筒状に限らず、被包装物２の形状に応じて、三角筒状や他の多角筒状にすることもできる。
【図面の簡単な説明】
【００３９】
【図１】包装体の斜視図であり、（ａ）は下面を上に向けた状態を示し、（ｂ）は上面を上に向けた状態を示す
【図２】Ａ−Ａ断面
【図３】Ｂ−Ｂ断面
【図４】ブランクの展開図
【図５】被包装物を包装する前の包装体の斜視図
【図６】ブランクの両端部を止着する前の包装体の斜視図
【図７】従来の包装体で、被包装物を包装する前の状態を示す斜視図
【図８】従来の包装体で、被包装物を包装した後の状態を示す斜視図
【図９】従来の筒状本体の「腰折れ」及び「胴膨れ」を示す斜視図
【符号の説明】
【００４０】
１          包装体
２          被包装物
３ａ、３ｂ  パッド
４          筒状本体
５          折り返し部
６          嵌合部
７          凹部
８          ブランク
９ａ、９ｂ  切り込み舌片
１０        切り込み
１１        バンド
１２        折り返し舌片
１３、１５  折罫線
１４        接着剤
【図１】
2009035311.tif 000003
【図２】
2009035311.tif 000004
【図３】
2009035311.tif 000005
【図４】
2009035311.tif 000006
【図５】
2009035311.tif 000007
【図６】
2009035311.tif 000008
【図７】
2009035311.tif 000009
【図８】
2009035311.tif 000010
【図９】
2009035311.tif 000011